(57)【要約】【課題】履物用中敷をスリッパに接着する際に剥離紙をその都度取り外す手間を不要にして遅延をなくし、複数の履物用中敷を持ち運びする際の取りまとめを簡単にしつつ、スリッパとの接触部位が大きい履物用中敷にあっても形状の保持を不要にしてコンパクトにまとめて持ち運ぶことができる履物用中敷束を提供する。【解決手段】スリッパに足を差し入れた際にその足裏の前側部分が接触するスリッパの前側接触部位を被覆する紙製の履物用中敷１と、履物用中敷１をスリッパに対し着脱自在に接着する接着材２と、を具備する。そして、履物用中敷１を、束のように４枚重ね合わせた状態で接着材２の接着作用により互いに着脱自在に接着している。【選択図】図１
2019088453.tif 000002
【特許請求の範囲】
【請求項１】
履物に足を差し入れた際にその足裏の前側部分が接触する前記履物の前側接触部位を被覆する紙製の履物用中敷と、
前記履物用中敷を前記履物に対し着脱自在に接着する接着手段と、
を具備し、
前記履物用中敷は、束のように複数枚重ね合わせた状態で前記接着手段の接着作用により互いに着脱自在に接着されていることを特徴とする履物用中敷束。
【請求項２】
前記接着手段は、前記履物用中敷を前記履物の前側接触部位に対し着脱自在に接着するようにしている請求項１に記載の履物用中敷束。
【請求項３】
前記各履物用中敷は、前記足裏の後側部分が接触する踵付近まで延長された延長部分を有し、この延長部分が、前記履物の後側接触部位を被覆している請求項１または請求項２に記載の履物用中敷束。
【請求項４】
前記各履物用中敷は、その先端から前記足の爪先を覆いつつ足甲側に折り返されて当該爪先及び足甲側が接触する前記履物の爪先部位及び足甲側部位をそれぞれ裏側から被覆する折返し部分を有している請求項１〜請求項３のいずれか１つに記載の履物用中敷束。
【請求項５】
前記履物としては、室内用のスリッパが適用されており、
前記折返し部分は、前記スリッパの足甲側部位の後端まで裏側を延びた状態でその足甲側部位の後端で表側に折り返された表側折返し部分を備え、
前記接着手段は、前記表側折返し部分を前記スリッパの足甲側部位の後端の表側に対し着脱自在に接着している請求項４に記載の履物用中敷束。
【発明の詳細な説明】
【技術分野】
【０００１】
本発明は、スリッパ、靴等の履物の中敷として用いる履物用中敷を束ねて持ち運べるようにした履物用中敷束に関するものである。
【背景技術】
【０００２】
一般に、ホテル、旅館等の各種宿泊施設や、各種展示場の他、病院、学校、公民館等の施設などでは、スリッパ等の履物が用意されており、これらを利用する宿泊者、来場者、患者、学生、施設利用者は、用意された履物に直接足を入れている。
【０００３】
また、ボーリング場、ゴルフ場、スキー場、スケート場等では貸靴を使用することがあり、これらの貸靴を使用する場合も、貸靴に直接足を入れている。
【０００４】
しかし、各種宿泊施設や各種展示場等で用意されるスリッパ等の履物は、不特定多数の宿泊者や来場者が使用するため、不衛生であった。特に、足の裏には、多数の汗腺が密集しており、これらの汗腺より放出される汗により各種雑菌が繁殖し易い環境のために、各種雑菌が付着することがあった。中でも、水虫菌の場合、容易に感染するとともに一度感染すると完治させるのが非常に困難であった。
【０００５】
また、ボーリング場、ゴルフ場、スキー場、スケート場等で貸靴等の履物を使用する場合においても、スリッパなどの履物と同様の問題があった。
【０００６】
さらに、毎日多くの人が使用している履物にあっては、汗、埃、雑菌等により皮膚病、悪臭、汚れ等が生じ易い環境となっていた。
【０００７】
そこで、従来より、通常のスリッパや靴等に使用する度に交換可能な履物用中敷を使用することにより、スリッパや靴などの履物に足を入れた際に足が直接触することなく常に清潔な履物用中敷を介して間接的に触れるようにしたものが知られている（特許文献１参照）。この履物用中敷には両面テープの一方の粘着面が接着され、残る他方の粘着面に貼り付けられた剥離紙を外して履物用中敷を履物の接触部位に対し接着している。
【先行技術文献】
【特許文献】
【０００８】
【特許文献１】特開平１０−１０８７０７号公報
【発明の概要】
【発明が解決しようとする課題】
【０００９】
ところが、前記従来のものでは、履物用中敷を履物に接着する際に剥離紙をその都度取り外す必要があり、履物用中敷を履物に装着する際に手間を要して停滞の原因となる遅延が生じる。その上、履物用中敷が両足分で複数必要となるため、持ち運びする際の取りまとめが煩わしいものであった。
【００１０】
しかも、履物用中敷にあっては、形状を保持する上で原形のままでの持ち運びが要求されることもあり、これでは非常に嵩張って持ち運びし難いものとなる。
【００１１】
本発明は、かかる点に鑑みてなされたものであり、その目的とするところは、履物用中敷を履物に接着する際に剥離紙をその都度取り外す手間を不要にして遅延をなくし、複数の履物用中敷を持ち運びする際の取りまとめを簡単にしつつ、履物との接触部位が大きい履物用中敷にあっても形状の保持を不要にしてコンパクトに持ち運ぶことができる履物用中敷束を提供することにある。
【課題を解決するための手段】
【００１２】
前記目的を達成するため、本発明では、履物用中敷束として、履物に足を差し入れた際にその足裏の前側部分が接触する前記履物の前側接触部位を被覆する紙製の履物用中敷と、前記履物用中敷を前記履物に対し着脱自在に接着する接着手段と、を具備する。そして、前記履物用中敷を、束のように複数枚重ね合わせた状態で前記接着手段の接着作用により互いに着脱自在に接着することを特徴としている。
【００１３】
また、前記接着手段は、前記履物用中敷を前記履物の前側接触部位に対し着脱自在に接着するようにしてもよい。
【００１４】
また、前記各履物用中敷は、前記足裏の後側部分が接触する踵付近まで延長された延長部分を有し、この延長部分が、前記履物の後側接触部位を被覆していてもよい。
【００１５】
また、前記各履物用中敷は、その先端から前記足の爪先を覆いつつ足甲側に折り返されて当該爪先及び足甲側が接触する前記履物の爪先部位及び足甲側部位をそれぞれ裏側から被覆する折返し部分を有していてもよい。
【００１６】
更に、前記履物として、室内用のスリッパを適用し、前記折返し部分は、前記スリッパの足甲側部位の後端まで裏側を延びた状態でその足甲側部位の後端で表側に折り返された表側折返し部分を備える。そして、前記接着手段は、前記表側折返し部分を前記スリッパの足甲側部位の後端の表側に対し着脱自在に接着していてもよい。
【発明の効果】
【００１７】
以上、要するに、履物に足を差し入れたときに足裏の前側部分が接触する履物の前側接触部位を被覆する紙製の履物用中敷を履物に対し着脱自在に接着する接着手段の接着作用により、履物用中敷を束のように複数枚重ね合わせた状態で互いに着脱自在に接着することで、束のように複数枚重ね合わせた状態の履物用中敷束から接着手段の接着作用を解除するように履物用中敷を取り外せば、その取り外した履物用中敷がそのまま履物に対し着脱自在に接着される。これにより、履物用中敷を履物に接着する際に剥離紙をその都度取り外す手間を不要にして遅延をなくし、複数の履物用中敷を持ち運びする際の取りまとめを簡単にすることができる。しかも、履物用中敷の形状を保持したまま持ち運ぶ必要もなくなって、附箋の如く接着手段による接着部位を起点にして折り曲げたり丸めたり折り畳んだりすることも可能となり、履物用中敷の形状保持を不要にしてコンパクトに持ち運ぶことができる。
【００１８】
また、接着手段によって履物用中敷を履物との接触部位に対し着脱自在に接着することで、履物に対し足裏の前側部分が接触する接触部位を被覆する履物用中敷の裏面に接着手段を設けることが可能となり、接着手段を履物用中敷に簡単に取り付けることができる。
【００１９】
また、各履物用中敷を足裏の後側部分が接触する踵付近まで延長することで、履物に対する足裏のほぼ全域の接触部位を履物用中敷により被覆でき、衛生上において非常に有利なものとなる。しかも、足裏のほぼ全域の接触部位を被覆するような大きい履物用中敷であっても、履物用中敷の形状を保持したまま持ち運ぶ必要もなくなって、附箋の如く接着手段による接着部位を起点にして折り曲げたり丸めたり折り畳んだりすることも可能となり、履物用中敷の形状保持を不要にしてコンパクトに持ち運ぶことができる。
【００２０】
また、履物用中敷の先端から爪先を覆って足甲側に折り返された折返し部分を備えることで、履物用中敷の先端から爪先を覆いかつ足甲側をも折返し部分によって被覆でき、衛生上においてより一層有利なものとなる。
【００２１】
更に、履物として室内用のスリッパを適用し、スリッパの足の甲を覆う甲側部分の裏側を後端まで延ばした状態でその甲側部分の後端で表側に折返した表側折返し部分を折返し部分に設け、表側折返し部分をスリッパの甲側部分の後端の表側に対し接着手段によって着脱自在に接着することで、表側折返し部分をスリッパの甲側部分の後端の表側に接着すれば、スリッパに足を差し入れた際に爪先によって折返し部分が奥まで押し込まれる。これにより、履物用中敷の先端から爪先を覆いかつ足甲側をも折返し部分によって被覆でき、衛生上においてより一層有利なものとなる。
【００２２】
しかも、表側折返し部分をスリッパの甲側部分の後端の表側に対し接着しておけば、スリッパに爪先を差し入れる動作によって甲側部分及び折返し部分が奥まで押し込まれ、スリッパの内部まで手を差し入れて履物用中敷を装着する必要がなく、衛生上においてより一層有利なものとなる。
【図面の簡単な説明】
【００２３】
【図１】本発明の第１の実施の形態に係る履物用中敷束から取り外した履物用中敷をスリッパに接着した状態を示す斜視図である。
【図２】図１の履物用中敷束の斜視図である。
【図３】図２の履物用中敷束の側面図である。
【図４】図１の履物用中敷をスリッパに接着する手順を説明する履物用中敷及びスリッパの分解斜視図である。
【図５】第１の実施の形態の変形例に係る履物用中敷束から取り外した履物用中敷をスリッパに接着した状態を示す斜視図である。
【図６】図５の履物用中敷をスリッパに接着する手順を説明する履物用中敷及びスリッパの分解斜視図である。
【図７】本発明の第２の実施の形態に係る履物用中敷束から取り外した履物用中敷をスリッパに接着した状態を示す斜視図である。
【図８】図７の履物用中敷束の斜視図である。
【図９】図８の履物用中敷束の側面図である。
【図１０】図７の履物用中敷をスリッパに接着する手順を説明する履物用中敷及びスリッパの分解斜視図である。
【図１１】本発明の第３の実施の形態に係る履物用中敷束から取り外した履物用中敷をスリッパに接着した状態を示す斜視図である。
【図１２】図１１の履物用中敷の甲側部分をスリッパに接着可能に立ち上げた状態での平面図である。
【図１３】図１１の履物用中敷束の斜視図である。
【図１４】図１３の履物用中敷束の側面図である。
【図１５】図１２の履物用中敷をスリッパに接着する手順を説明する履物用中敷及びスリッパの分解斜視図である。
【図１６】本発明の第４の実施の形態に係る履物用中敷束から取り外した履物用中敷をスリッパに接着した状態を示す斜視図である。
【図１７】図１６の履物用中敷束の斜視図である。
【図１８】図１７の履物用中敷束の側面図である。
【図１９】図１６の履物用中敷をスリッパに接着する手順を説明する履物用中敷及びスリッパの分解斜視図である。
【図２０】本発明の第５の実施の形態に係る履物用中敷束から取り外した履物用中敷をスリッパに接着した状態を示す斜視図である。
【図２１】図２０の履物用中敷束の斜視図である。
【図２２】図２１の履物用中敷束の側面図である。
【図２３】図２０の履物用中敷をスリッパに接着する手順を説明する履物用中敷及びスリッパの分解斜視図である。
【発明を実施するための形態】
【００２４】
以下、本発明の実施の形態を図面に基づいて説明する。
【００２５】
図１は本発明の第１の実施の形態に係る履物用中敷束から取り外した履物用中敷をスリッパに接着した状態を示す斜視図、図２は図１の履物用中敷束の斜視図、図３は図２の履物用中敷束の側面図をそれぞれ示している。
【００２６】
図１〜図３に示すように、Ｘ１は本発明の第１の実施の形態に係る履物用中敷束であって、この履物用中敷束Ｘ１は、履物としてのスリッパＳを着用する際に当該スリッパＳに対し足裏の前側部分が接触する前側接触部位Ｓ１を被覆する紙製の履物用中敷１と、履物用中敷１をスリッパＳに対し着脱自在に接着する接着手段としての接着材２とを具備している。
【００２７】
履物用中敷１は、足長方向の長さが約１２ｃｍに、これと直交する足幅方向の長さが約７ｃｍにそれぞれ設定され、足長方向の先端側がスリッパＳの先端の形状に則して円弧を描いて若干先細り状に形成されている。履物用中敷１としては、稲藁などを原料とし、吸水性が良く表面がざらついた紙製のものが好適である。
【００２８】
接着材２は、履物用中敷１の足長方向の先端から約２ｃｍ空けて足長方向へ約３ｃｍの間隔で塗布されている。この接着材２としては、澱粉系、蛋白質系、天然ゴム系、さらにアスファルト系などの天然系接着剤や、合成樹脂系でもよいが、好ましくは、付箋などで用いられる、接着・剥離が自在に行える高分子ポリマー等を配合した合成ゴム系やアクリル系の感圧性接着剤がよい。
【００２９】
履物用中敷束Ｘ１は、履物用中敷１が束のように４枚重ね合わされた状態で接着材２の接着作用により互いに着脱自在に接着されている。つまり、履物用中敷束Ｘ１の束のように重ね合わせた各履物用中敷１のうちの上側の履物用中敷１の裏面の接着材２が下側の履物用中敷１の表面に順に着脱自在に接着され、最も下側の履物用中敷１の裏面の接着材２が履物用中敷１と同一形状の剥離紙Ｈ１に着脱自在に接着されている。
【００３０】
図４は図１の履物用中敷１をスリッパＳに接着する手順を説明する履物用中敷１及びスリッパＳの分解斜視図を示している。この図４に示すように、履物用中敷１をスリッパＳに接着する際には、履物用中敷束Ｘ１の各履物用中敷１のうちの最も上側の履物用中敷１の裏面の接着材２をその下側の履物用中敷１の表面から剥離し、この剥離した履物用中敷１を、スリッパＳの前側接触部位Ｓ１に対し履物用中敷１の裏面を離しながら手を差し入れて押し込み、履物用中敷１を前側接触部位Ｓ１に接着材２により接着して装着する。
【００３１】
したがって、本実施の形態では、スリッパＳを着用するときに当該スリッパＳに対し足裏の前側部分が接触する前側接触部位Ｓ１を被覆する紙製の履物用中敷１をスリッパＳに対し着脱自在に接着する接着材２の接着作用により、履物用中敷１が束のように４枚重ね合わされた状態で互いに着脱自在に接着されているので、束のように４枚重ね合わせた状態の履物用中敷束Ｘ１から接着材２の接着作用を解除するように最も上側の履物用中敷１の裏面の接着材２をその下側の履物用中敷１の表面から剥離すれば、その剥離した履物用中敷１がそのままスリッパＳの前側接着部位Ｓ１に対し着脱自在に接着される。
【００３２】
これにより、履物用中敷１をスリッパＳに接着する際に剥離紙をその都度取り外す手間を不要にして遅延をなくし、複数の履物用中敷１を持ち運びする際の取りまとめを簡単にすることができる。しかも、履物用中敷１の形状を保持したまま持ち運ぶ必要もなくなって、附箋の如く接着材２による接着部位を起点にして折り曲げたり丸めたり折り畳んだりすることも可能となり、履物用中敷１の形状保持を不要にしてコンパクトに持ち運ぶことができる。
【００３３】
また、接着材２によって履物用中敷１がスリッパＳの前側接触部位Ｓ１に対し着脱自在に接着されていることにより、スリッパＳに対し足裏の前側部分が接触する前側接触部位Ｓ１を被覆する履物用中敷１の裏面に接着材を設けることが可能となり、接着材２を履物用中敷１に簡単に取り付けることができる。
【００３４】
なお、前記第１の実施の形態では、履物用中敷１をスリッパＳの前側接触部位Ｓ１に対し接着したが、図５及び図６に示すように、各履物用中敷３が、スリッパＳの前側接触部位Ｓ１を被覆する足裏被覆部分３１と、この足裏被覆部分３１の後端から足裏の後側部分が接触する踵付近まで延長された延長部分３２とを有していてもよい。この場合、各履物用中敷３（足裏被覆部分３１及び延長部分３２）は、足長方向の長さが約２４ｃｍに、足幅方向の長さが約７ｃｍにそれぞれ設定され、足裏の後側部分が接触する後側接触部位Ｓ２も含めたスリッパＳに対する足裏のほぼ全域の接触部位（前側接触部位Ｓ１及び後側接触部位Ｓ２）を履物用中敷３により被覆でき、衛生上において非常に有利なものとなる。加えて、足裏のほぼ全域の接触部位を足裏被覆部分３１と延長部分３２とで被覆する大きな履物用中敷３であっても、履物用中敷３の形状を保持したまま持ち運ぶ必要もなくなって、附箋の如く接着材２による接着部位を起点にして折り曲げたり丸めたり折り畳んだりすることも可能となり、履物用中敷３の形状保持を不要にしてコンパクトに持ち運ぶことが可能となる。なお、各履物用中敷３の足長方向の長さはこれに限定されるものではなく、２４ｃｍ未満又は２４．５ｃｍ以上に設定されていてもよいのはいうまでもない。
【００３５】
次に、本発明の第２の実施の形態を図面に基づいて説明する。
【００３６】
この実施の形態では、履物用中敷の形状を変更している。なお、履物用中敷を除くその他の構成は、前記第１の実施の形態と同じであり、同一部分については同じ符号を付してその詳細な説明は省略する。図７は本発明の第２の実施の形態に係る履物用中敷束から取り外した履物用中敷をスリッパに接着した状態を示す斜視図、図８は図７の履物用中敷束の斜視図、図９は図８の履物用中敷束の側面図をそれぞれ示している。
【００３７】
すなわち、本実施の形態では、図７〜図９に示すように、履物用中敷束Ｘ２の履物用中敷４は、スリッパＳの前側接触部位Ｓ１を被覆する足裏被覆部分４１と、この足裏被覆部分４１の後端から足裏の後側部分が接触する踵付近まで延長された延長部分４２とを有している。また、履物用中敷４は、足長方向の長さが約３０ｃｍに、足幅方向の長さが約７ｃｍにそれぞれ設定されている。この履物用中敷４としても、稲藁などを原料とし、吸水性が良く表面がざらついた紙製のものが好適とされる。
【００３８】
また、履物用中敷４は、スリッパＳの前側接触部位Ｓ１を被覆する足裏被覆部分４１と、この足裏被覆部分４１の後端から足裏の後側部分が接触する踵付近まで延長された延長部分４２とを有している。この足裏被覆部分４１と延長部分４２とは、双方合わせた足長方向の長さが約２４ｃｍに設定され、足裏被覆部分４１の足長方向の先端側がスリッパＳの先端の形状に則して円弧を描いて若干先細り状に形成されている。更に、履物用中敷４は、足裏被覆部分４１の先端から足の爪先を覆いつつ足甲側に折り返されて当該爪先及び足甲側が接触するスリッパＳの爪先部位Ｓ３及び足甲側部位Ｓ４をそれぞれ裏側から被覆する折返し部分４３を有している。
【００３９】
折返し部分４３は、スリッパＳの爪先部位Ｓ３を裏側から被覆する爪先被覆部４４と、足甲側部位Ｓ４を裏側から被覆する足甲側被覆部４５とを備えている。足裏被覆部分４１の先端と折返し部分４３の爪先被覆部４４との境界、及び折返し部分４３の爪先被覆部４４と足甲側被覆部４５との境界には、それぞれ折り曲げ線４６，４６（図８では一点鎖線で示す）が設けられ、それぞれ谷折りされた状態で用いられる。爪先被覆部４４の足長方向の長さは約１ｃｍに、足甲側被覆部４５の足長方向の長さは約５ｃｍにそれぞれ設定され、足甲側被覆部４５の足長方向の基端側がスリッパＳの先端の形状に則して円弧を描いて若干先細り状に形成されている。この場合、爪先被覆部４４は、両折り曲げ線４６よりも左右方向外方へ略半円弧状に膨出しており、これによってスリッパＳの爪先部位Ｓ３に対する足の親指爪及び小指爪の直接触が回避されるようにしている。
【００４０】
履物用中敷束Ｘ２も接着材２を具備し、接着材２は、履物用中敷４の足裏被覆部分４１の足長方向の先端から約２ｃｍ空けて足長方向へ約３ｃｍの間隔で塗布されている。履物用中敷束Ｘ２は、履物用中敷４が束のように４枚重ね合わされた状態で接着材２の接着作用により互いに着脱自在に接着されている。つまり、履物用中敷束Ｘ２の束のように重ね合わせた各履物用中敷４のうちの上側の履物用中敷４の裏面の接着材２が下側の履物用中敷４の表面に順に着脱自在に接着され、最も下側の履物用中敷４の裏面の接着材２が履物用中敷４と同一形状の剥離紙Ｈ２に着脱自在に接着されている。
【００４１】
図１０は図７の履物用中敷４をスリッパＳに接着する手順を説明する履物用中敷４及びスリッパＳの分解斜視図を示している。この図１０に示すように、履物用中敷４をスリッパＳに接着する際には、履物用中敷束Ｘ２の各履物用中敷４のうちの最も上側の履物用中敷４の裏面の接着材２をその下側の履物用中敷４の表面から剥離し、この剥離した履物用中敷４を、折り曲げ線４６，４６でそれぞれ谷折りして立体化する。
【００４２】
それから、スリッパＳの前側接触部位Ｓ１に対し履物用中敷４の足裏被覆部分４１の裏面を離しながら爪先被覆部４４が爪先部位Ｓ３に到達するまで手を差し入れて押し込み、履物用中敷４を前側接触部位Ｓ１に接着材２により接着して装着する。このとき、足甲側被覆部４５は、折り曲げ線４６で折り曲げた際の復元力により足甲側部位Ｓ４の裏側に押し付けられていて、足を差し入れた際の足甲側被覆部４５との干渉が回避されるようにしている。
【００４３】
したがって、本実施の形態では、スリッパＳを着用するときに当該スリッパＳの前側接触部位Ｓ１、後側接触部位Ｓ２、爪先部位Ｓ３及び足甲側部位Ｓ４を被覆する紙製の履物用中敷４をスリッパＳに対し着脱自在に接着する接着材２の接着作用により、履物用中敷４が束のように４枚重ね合わされた状態で互いに着脱自在に接着されているので、束のように４枚重ね合わせた状態の履物用中敷束Ｘ２から接着材２の接着作用を解除するように最も上側の履物用中敷４の裏面の接着材２をその下側の履物用中敷４の表面から剥離すれば、その剥離した履物用中敷４がそのままスリッパＳの前側接着部位Ｓ１に対し着脱自在に接着される。
【００４４】
これにより、履物用中敷４をスリッパＳに接着する際に剥離紙をその都度取り外す手間を不要にして遅延をなくし、複数の履物用中敷４を持ち運びする際の取りまとめを簡単にすることができる。しかも、足裏のほぼ全域の接触部位（前側接触部位Ｓ１及び後側接触部位Ｓ２）を足裏被覆部分４１と延長部分４２とで被覆しかつ爪先部位Ｓ３及び足甲側部位Ｓ４を折返し部分４３（爪先被覆部４４及び足甲側被覆部４５）で被覆する大きな履物用中敷４であっても、履物用中敷４の形状を保持したまま持ち運ぶ必要もなくなって、附箋の如く接着材２による接着部位を起点にして折り曲げたり丸めたり折り畳んだりすることも可能となり、大きな履物用中敷４の形状保持を不要にしてコンパクトに持ち運ぶことができる。
【００４５】
また、履物用中敷４の足裏被覆部分４１の先端から足の爪先を覆いつつ足甲側に折り返されてスリッパＳの爪先部位Ｓ３及び足甲側部位Ｓ４をそれぞれ裏側から被覆する折返し部分４３を備えていることにより、足裏被覆部分４１の先端から爪先を覆いかつ足甲側をも折返し部分４３によって被覆でき、衛生上においてより一層有利なものとなる。
【００４６】
次に、本発明の第３の実施の形態を図面に基づいて説明する。
【００４７】
この実施の形態では、履物用中敷の形状を変更している。なお、履物用中敷を除くその他の構成は、前記第１の実施の形態と同じであり、同一部分については同じ符号を付してその詳細な説明は省略する。図１１は本発明の第３の実施の形態に係る履物用中敷束から取り外した履物用中敷をスリッパに接着した状態を示す斜視図、図１２は図１１の履物用中敷の甲側部分をスリッパに接着可能に立ち上げた状態での平面図、図１３は図１１の履物用中敷束の斜視図、図１４は図１３の履物用中敷束の側面図をそれぞれ示している。
【００４８】
すなわち、本実施の形態では、図１１〜図１４に示すように、履物用中敷束Ｘ３の履物用中敷５は、足長方向の長さが約２４ｃｍに、足幅方向の長さが約７ｃｍにそれぞれ設定され、足長方向の先端側がスリッパＳの先端の形状に則して円弧を描いて若干先細り状に形成されている。また、履物用中敷５は、スリッパＳの前側接触部位Ｓ１を被覆する足裏被覆部分５１と、この足裏被覆部分５１の後端から足裏の後側部分が接触する踵付近まで延長された延長部分５２とを有している。
【００４９】
更に、履物用中敷５は、足裏被覆部分５１の先端から足の爪先を覆いつつ足甲側に折り返されて当該爪先及び足甲側が接触するスリッパＳの爪先部位Ｓ３及び足甲側部位Ｓ４をそれぞれ裏側から被覆する折返し部分５３を有している。この履物用中敷５としても、稲藁などを原料とし、吸水性が良く表面がざらついた紙製のものが好適とされる。
【００５０】
折返し部分５３は、スリッパＳの爪先部位Ｓ３及び足甲側部位Ｓ４の形状に則して脹らみを持たせた半ドーム状に形成され、その周縁の一部が足裏被覆部分５１の周縁に止着されている。また、折返し部分５３には、足長方向に伸びる内外２条の折り畳み線５４，５５が左右に二組設けられている。２条の折り畳み線５４，５５のうちの内側の折り畳み線５４は山折りされる一方、外側の折り畳み線５５は谷折りされ、これによって折返し部分５３が足裏被覆部分５１に密接するように折り畳まれる。この場合、折返し部分５３は、左右に二組の２条の折り畳み線５４，５５の折返しを無くすように伸ばすことで隆起し、スリッパＳの爪先部位Ｓ３及び足甲側部位Ｓ４の形状に則して脹む。
【００５１】
履物用中敷束Ｘ３も接着材２を具備し、接着材２は、履物用中敷５の足裏被覆部分５１の足長方向の先端から約２ｃｍ空けて足長方向へ約３ｃｍの間隔で塗布されている。履物用中敷束Ｘ３は、履物用中敷５が束のように４枚重ね合わされた状態で接着材２の接着作用により互いに着脱自在に接着されている。つまり、履物用中敷束Ｘ３の束のように重ね合わせた各履物用中敷５のうちの上側の履物用中敷５の裏面の接着材２が下側の履物用中敷５の折返し部分５３の表面に順に着脱自在に接着され、最も下側の履物用中敷５の足裏被覆部分５１の裏面の接着材２が履物用中敷５と同一形状の剥離紙Ｈ３に着脱自在に接着されている。
【００５２】
図１５は図１２の履物用中敷５をスリッパＳに接着する手順を説明する履物用中敷５及びスリッパＳの分解斜視図を示している。この図１５に示すように、履物用中敷５をスリッパＳに接着する際には、履物用中敷束Ｘ３の各履物用中敷５のうちの最も上側の履物用中敷５の裏面の接着材２をその下側の履物用中敷５の折返し部分５３の表面から剥離し、この剥離した履物用中敷５を、左右に二組の２条の折り畳み線５４，５５の折返しを無くすように伸ばして隆起させ、スリッパＳの爪先部位Ｓ３及び足甲側部位Ｓ４の形状に則して脹ませる。
【００５３】
それから、スリッパＳの前側接触部位Ｓ１に対し履物用中敷５の足裏被覆部分５１の裏面を離しながら折返し部分５３の先端が爪先部位Ｓ３に到達するまで手を差し入れて押し込み、履物用中敷５を前側接触部位Ｓ１に接着材２により接着して装着する。このとき、折返し部分５３は、左右の各折り畳み線５４，５５の折返しを無くすように伸ばしておくことで足甲側部位Ｓ４の裏側に押し付けられていて、足を差し入れた際の折返し部分５３との干渉が回避されるようにしている。
【００５４】
したがって、本実施の形態では、スリッパＳを着用するときに当該スリッパＳの前側接触部位Ｓ１、後側接触部位Ｓ２、爪先部位Ｓ３及び足甲側部位Ｓ４を被覆する紙製の履物用中敷５をスリッパＳに対し着脱自在に接着する接着材２の接着作用により、履物用中敷５が束のように４枚重ね合わされた状態で互いに着脱自在に接着されているので、束のように４枚重ね合わせた状態の履物用中敷束Ｘ２から接着材２の接着作用を解除するように最も上側の履物用中敷５の裏面の接着材２をその下側の履物用中敷５の折返し部分５３の表面から剥離すれば、その剥離した履物用中敷５がそのままスリッパＳの前側接着部位Ｓ１に対し着脱自在に接着される。
【００５５】
これにより、履物用中敷５をスリッパＳに接着する際に剥離紙をその都度取り外す手間を不要にして遅延をなくし、複数の履物用中敷５を持ち運びする際の取りまとめを簡単にすることができる。しかも、足裏のほぼ全域の接触部位（前側接触部位Ｓ１及び後側接触部位Ｓ２）を足裏被覆部分５１と延長部分５２とで被覆しかつ爪先部位Ｓ３及び足甲側部位Ｓ４を折返し部分５３で被覆する大きな履物用中敷５であっても、履物用中敷１の形状を保持したまま持ち運ぶ必要もなくなって、附箋の如く接着材２による接着部位を起点にして折り曲げたり丸めたり折り畳んだりすることも可能となり、大きな履物用中敷５の形状保持を不要にしてコンパクトに持ち運ぶことができる。
【００５６】
また、２条の折り畳み線５４，５５のうちの内側の折り畳み線５４が山折りされる一方、外側の折り畳み線５５が谷折りされて折返し部分５３が足裏被覆部分５１に密接するように折り畳まれ、履物用中敷５が束のように４枚重ね合わされた状態で接着材２の接着作用によって互いに着脱自在に接着されているので、非常にコンパクトに取りまとめられ、持ち運び性を図ることができる。
【００５７】
次に、本発明の第４の実施の形態を図面に基づいて説明する。
【００５８】
この実施の形態では、履物用中敷の形状を変更している。なお、履物用中敷を除くその他の構成は、前記第１の実施の形態と同じであり、同一部分については同じ符号を付してその詳細な説明は省略する。図１６は本発明の第４の実施の形態に係る履物用中敷束から取り外した履物用中敷をスリッパに接着した状態を示す斜視図、図１７は図１６の履物用中敷束の斜視図、図１８は図１７の履物用中敷束の側面図をそれぞれ示している。
【００５９】
すなわち、本実施の形態では、図１６〜図１８に示すように、履物用中敷束Ｘ４の履物用中敷６は、足長方向の長さが約３８ｃｍに、足幅方向の長さが約７ｃｍにそれぞれ設定され、足長方向の先端側がスリッパＳの先端の形状に則して円弧を描いて若干先細り状に形成されている。この履物用中敷６としても、稲藁などを原料とし、吸水性が良く表面がざらついた紙製のものが好適とされる。
【００６０】
また、履物用中敷６は、スリッパＳの前側接触部位Ｓ１を被覆する足裏被覆部分６１と、この足裏被覆部分６１の後端から足裏の後側部分が接触する踵付近まで延長された延長部分６２とを有している。この足裏被覆部分６１と延長部分６２とは、双方合わせた足長方向の長さが約２４ｃｍに設定され、足長方向の先端側がスリッパＳの先端の形状に則して円弧を描いて若干先細り状に形成されている。更に、履物用中敷６は、足裏被覆部分６１の先端から足の爪先を覆いつつ足甲側に折り返されて当該爪先及び足甲側が接触するスリッパＳの爪先部位Ｓ３及び足甲側部位Ｓ４をそれぞれ裏側から被覆する折返し部分６３を有している。
【００６１】
折返し部分６３は、スリッパＳの爪先部位Ｓ３を裏側から被覆する爪先被覆部６４と、足甲側部位Ｓ４を裏側から被覆する足甲側被覆部６５とを備えている。足裏被覆部分６１の先端と折返し部分６３の爪先被覆部６４との境界、及び折返し部分６３の爪先被覆部６４と足甲側被覆部６５との境界には、それぞれ折り曲げ線６６，６６（図１７では一点鎖線で示す）が設けられ、それぞれ谷折りされた状態で用いられる。爪先被覆部６４の足長方向の長さは約１ｃｍに設定され、足甲側被覆部６５の足長方向の基端側がスリッパＳの先端の形状に則して円弧を描いて若干先細り状に形成されている。この場合、爪先被覆部６４は、両折り曲げ線６６よりも左右方向外方へ略半円弧状に膨出しており、これによってスリッパＳの爪先部位Ｓ３に対する足の親指爪及び小指爪の直接触が回避されるようにしている。
【００６２】
履物用中敷束Ｘ４も接着材２を具備し、接着材２は、履物用中敷６の足裏被覆部分６１の足長方向の先端から約２ｃｍ空けて足長方向へ約３ｃｍの間隔で塗布されている。履物用中敷束Ｘ４は、履物用中敷６が束のように４枚重ね合わされた状態で接着材２の接着作用により互いに着脱自在に接着されている。つまり、履物用中敷束Ｘ４の束のように重ね合わせた各履物用中敷６のうちの上側の履物用中敷６の裏面の接着材２が下側の履物用中敷６の表面に順に着脱自在に接着され、最も下側の履物用中敷６の裏面の接着材２が履物用中敷６と同一形状の剥離紙Ｈ４に着脱自在に接着されている。
【００６３】
また、折返し部分６３の足甲側被覆部６５は、スリッパＳの足甲側部位Ｓ４の後端まで裏側を延び、足長方向の長さが約１１ｃｍに設定されている。この足甲側被覆部６５の後端（延設端）には、足甲側部位Ｓ４の後端で折り曲げ線６７（図１７では一点鎖線で示す）により表側へ折り返された表側折返し部分６８が設けられている。そして、接着材２は、表側折返し部分６８の裏面（足甲側部位Ｓ４側面）にも塗布され、表側折返し部分６８をスリッパＳの足甲側部位Ｓ４の後端の表側に対し着脱自在に接着している。この場合、表側折返し部分６８の足長方向の長さは約２ｃｍに設定されている。
【００６４】
図１９は図１６の履物用中敷６をスリッパＳに接着する手順を説明する履物用中敷６及びスリッパＳの分解斜視図を示している。この図１９に示すように、履物用中敷６をスリッパＳに接着する際には、履物用中敷束Ｘ４の各履物用中敷６のうちの最も上側の履物用中敷６の裏面の接着材２，２をその下側の履物用中敷６の表面からそれぞれ剥離し、この剥離した履物用中敷６を、折り曲げ線６６，６６でそれぞれ谷折りして立体化する。
【００６５】
それから、スリッパＳの前側接触部位Ｓ１に対し履物用中敷６の足裏被覆部分６１の裏面を離しながら爪先被覆部６４が爪先部位Ｓ３に到達するまで手を差し入れて押し込み、履物用中敷６を前側接触部位Ｓ１に接着材２により接着するとともに、表側折返し部分６８を足甲側部位Ｓ４の後端で折り曲げ線６７により表側へ折返して足甲側部位Ｓ４の後端に接着材２により接着して装着する。このとき、足甲側被覆部６５は、表側折返し部分６８を足甲側部位Ｓ４の後端に接着材２で接着することで足甲側部位Ｓ４の裏側に押し付けられて、足を差し入れた際の足甲側被覆部６５との干渉が回避されるようにしている。
【００６６】
したがって、本実施の形態では、スリッパＳを着用するときに当該スリッパＳの前側接触部位Ｓ１、後側接触部位Ｓ２、爪先部位Ｓ３及び足甲側部位Ｓ４を被覆する紙製の履物用中敷６をスリッパＳに対し着脱自在に接着する接着材２，２の接着作用により、履物用中敷６が束のように４枚重ね合わされた状態で互いに着脱自在に接着されているので、束のように４枚重ね合わせた状態の履物用中敷束Ｘ４から接着材２，２の接着作用を解除するように最も上側の履物用中敷６の裏面の接着材２，２をその下側の履物用中敷６の表面から剥離すれば、その剥離した履物用中敷６がそのままスリッパＳの前側接着部位Ｓ１及び足甲側部位Ｓ４の後端に対し着脱自在に接着される。
【００６７】
これにより、履物用中敷６をスリッパＳに接着する際に剥離紙をその都度取り外す手間を不要にして遅延をなくし、複数の履物用中敷６を持ち運びする際の取りまとめを簡単にすることができる。
【００６８】
しかも、足裏のほぼ全域の接触部位（前側接触部位Ｓ１及び後側接触部位Ｓ２）を足裏被覆部分６１と延長部分６２とで被覆しかつ爪先部位Ｓ３及び足甲側部位Ｓ４を折返し部分６３（爪先被覆部６４及び足甲側被覆部６５）で被覆する大きな履物用中敷６であっても、履物用中敷１の形状を保持したまま持ち運ぶ必要もなくなって、附箋の如く接着材２による接着部位を起点にして折り曲げたり丸めたり折り畳んだりすることも可能となり、大きな履物用中敷６の形状保持を不要にしてコンパクトに持ち運ぶことができる。
【００６９】
次に、本発明の第５の実施の形態を図面に基づいて説明する。
【００７０】
この実施の形態では、履物用中敷の形状を変更している。なお、履物用中敷を除くその他の構成は、前記第１の実施の形態と同じであり、同一部分については同じ符号を付してその詳細な説明は省略する。図２０は本発明の第５の実施の形態に係る履物用中敷束から取り外した履物用中敷をスリッパに接着した状態を示す斜視図、図２１は図２０の履物用中敷束の斜視図、図２２は図２１の履物用中敷束の側面図をそれぞれ示している。
【００７１】
すなわち、本実施の形態では、図２０〜図２２に示すように、履物用中敷束Ｘ５の履物用中敷７は、足長方向の長さが約２６ｃｍに、足幅方向の長さが約７ｃｍにそれぞれ設定され、足長方向の先端側がスリッパＳの先端の形状に則して円弧を描いて若干先細り状に形成されている。この履物用中敷７としても、稲藁などを原料とし、吸水性が良く表面がざらついた紙製のものが好適とされる。
【００７２】
また、履物用中敷７は、スリッパＳの前側接触部位Ｓ１を被覆する足裏被覆部分７１を有している。この足裏被覆部分７１は、足長方向の長さが約１２ｃｍに設定され、足長方向の先端側がスリッパＳの先端の形状に則して円弧を描いて若干先細り状に形成されている。更に、履物用中敷７は、足裏被覆部分７１の先端から足の爪先を覆いつつ足甲側に折り返されて当該爪先及び足甲側が接触するスリッパＳの爪先部位Ｓ３及び足甲側部位Ｓ４をそれぞれ裏側から被覆する折返し部分７２を有している。
【００７３】
折返し部分７２は、スリッパＳの爪先部位Ｓ３を裏側から被覆する爪先被覆部７３と、足甲側部位Ｓ４を裏側から被覆する足甲側被覆部７４とを備えている。足裏被覆部分７１の先端と折返し部分７２の爪先被覆部７３との境界、及び折返し部分７２の爪先被覆部７３と足甲側被覆部７４との境界には、それぞれ折り曲げ線７５，７５（図２１では一点鎖線で示す）が設けられ、それぞれ谷折りされた状態で用いられる。爪先被覆部７３の足長方向の長さは約１ｃｍに、足甲側被覆部７４の足長方向の長さは約１１ｃｍにそれぞれ設定され、足甲側被覆部７４の足長方向の基端側がスリッパＳの先端の形状に則して円弧を描いて若干先細り状に形成されている。この場合、爪先被覆部７３は、両折り曲げ線７５よりも左右方向外方へ略半円弧状に膨出しており、これによってスリッパＳの爪先部位Ｓ３に対する足の親指爪及び小指爪の直接触が回避されるようにしている。
【００７４】
また、折返し部分７２の足甲側被覆部７４は、スリッパＳの足甲側部位Ｓ４の後端まで裏側を延び、足長方向の長さが約１１ｃｍに設定されている。この足甲側被覆部７４の後端（延設端）には、足甲側部位Ｓ４の後端で折り曲げ線７６（図２１では一点鎖線で示す）により表側へ折り返された表側折返し部分７７が設けられている。そして、履物用中敷束Ｘ５も接着材２を具備し、接着材２は、表側折返し部分７７の裏面（足甲側部位Ｓ４側面）に塗布されている。この場合、表側折返し部分７７の足長方向の長さは約２ｃｍに設定されている。
【００７５】
履物用中敷束Ｘ５は、履物用中敷７が束のように４枚重ね合わされた状態で接着材２の接着作用により互いに着脱自在に接着されている。つまり、履物用中敷束Ｘ５の束のように重ね合わせた各履物用中敷７のうちの上側の履物用中敷７の表側折返し部分７７の裏面の接着材２が下側の履物用中敷７の表側折返し部分７７の表面に順に着脱自在に接着され、最も下側の履物用中敷７の表側折返し部分７７の裏面の接着材２が履物用中敷７と同一形状の剥離紙Ｈ５に着脱自在に接着されている。
【００７６】
図２３は図２０の履物用中敷７をスリッパＳに接着する手順を説明する履物用中敷７及びスリッパＳの分解斜視図を示している。この図２３に示すように、履物用中敷７をスリッパＳに接着する際には、履物用中敷束Ｘ５の各履物用中敷７のうちの最も上側の履物用中敷７の表側折返し部分７７の裏面の接着材２をその下側の履物用中敷７の表側折返し部分７７の表面からそれぞれ剥離し、この剥離した履物用中敷７を、折り曲げ線７５，７５でそれぞれ谷折りして折り目を付けておく。
【００７７】
それから、履物用中敷７の表側折返し部分７７の裏面の接着材２をスリッパＳの足甲側部位Ｓ４の後端の表側に接着する。この状態で、スリッパＳに足を差し入れると、爪先によって足裏被覆部分７１及び折返し部分７２（爪先被覆部７３及び足甲側被覆部７４）が奥まで押し込まれ、これによって履物用中敷７がスリッパＳに装着される。
【００７８】
したがって、本実施の形態では、スリッパＳを着用するときに当該スリッパＳの前側接触部位Ｓ１、爪先部位Ｓ３及び足甲側部位Ｓ４を被覆する紙製の履物用中敷７をスリッパＳに対し着脱自在に接着する接着材２の接着作用により、履物用中敷７が束のように４枚重ね合わされた状態で互いに着脱自在に接着されているので、束のように４枚重ね合わせた状態の履物用中敷束Ｘ５から接着材２の接着作用を解除するように最も上側の履物用中敷７の表側折返し部分７７の裏面の接着材２をその下側の履物用中敷７の表側折返し部分７７の表面から剥離すれば、その剥離した履物用中敷７の表側折返し部分７７がそのままスリッパＳの足甲側部位Ｓ４の後端に対し着脱自在に接着される。
【００７９】
これにより、履物用中敷７をスリッパＳに接着する際に剥離紙をその都度取り外す手間を不要にして遅延をなくし、複数の履物用中敷７を持ち運びする際の取りまとめを簡単にすることができる。しかも、足裏の前側接触部位Ｓ１を足裏被覆部分７１で被覆しかつ爪先部位Ｓ３及び足甲側部位Ｓ４を折返し部分７２（爪先被覆部７３及び足甲側被覆部７４）で被覆する大きな履物用中敷７であっても、履物用中敷７の形状を保持したまま持ち運ぶ必要もなくなって、附箋の如く接着材２による接着部位を起点にして折り曲げたり丸めたり折り畳んだりすることも可能となり、大きな履物用中敷７の形状保持を不要にしてコンパクトに持ち運ぶことができる。
【００８０】
また、表側折返し部分７７の裏面にのみ接着材２が塗布されているので、表側折返し部分７７をスリッパＳの足甲側部位Ｓ４の後端の表側に接着すれば、スリッパＳに足を差し入れた際に、スリッパＳに爪先を差し入れる動作によって足裏被覆部分７１及び折返し部分７２が奥までスムーズに押し込まれる。これにより、履物用中敷７の足裏被覆部分７１の先端から爪先を覆いかつ足甲側をも折返し部分７２によって被覆できる上、スリッパＳの内部まで手を差し入れて履物用中敷７を装着する必要がなくなって衛生上においてより一層有利なものとなる。
【００８１】
なお、本発明は前記各実施の形態に限定されたものではなく、その他種々の変形例を包含している。例えば、前記各実施の形態では、履物として、スリッパＳを適用したが、これに限定されるものではなく、ボーリング場、ゴルフ場、スキー場、スケート場等で用いられる貸靴等が適用されてもよい。
【００８２】
また、前記各実施の形態では、履物用中敷束Ｘ１〜Ｘ５を４枚の履物用中敷１，４〜７を重ね合わせた状態で接着材２の接着作用により互いに着脱自在に接着して構成したが、履物用中敷束が４枚未満又は５枚以上の履物用中敷を重ね合わせた状態で接着材の接着作用により互いに着脱自在に接着して構成されていてもよい。この場合、両足に個別に履物用中敷が用いられることから、基本的には偶数の履物用中敷によって履物用中敷束が構成される。
【００８３】
更に、前記第５の実施の形態では、スリッパＳの前側接触部位Ｓ１を被覆する足裏被覆部分７１を有する履物用中敷７としたが、この履物用中敷が、足裏被覆部分の後端から足裏の後側部分が接触する踵付近まで延長された延長部分を備えていてもよい。この場合、接着材は、表側折返し部分の裏面にのみ塗布されている。
【符号の説明】
【００８４】
１          履物用中敷
２          接着材（接着手段）
３          履物用中敷
３１        足裏被覆部分（履物用中敷）
３２        延長部分
４          履物用中敷
４１        足裏被覆部分（履物用中敷）
４２        延長部分
４３        折返し部分
５          履物用中敷
５１        足裏被覆部分（履物用中敷）
５２        延長部分
５３        折返し部分
６          履物用中敷
６１        足裏被覆部分（履物用中敷）
６２        延長部分
６３        折返し部分
７          履物用中敷
７１        足裏被覆部分（履物用中敷）
７２        折返し部分
Ｓ          スリッパ（履物）
Ｓ１        前側接触部位
Ｓ２        後側接触部位
Ｓ３        爪先部位
Ｓ４        足甲側部位（接着手段により接着される履物の部位）
Ｘ１〜Ｘ５  履物用中敷束
【図１】
2019088453.tif 000003
【図２】
2019088453.tif 000004
【図３】
2019088453.tif 000005
【図４】
2019088453.tif 000006
【図５】
2019088453.tif 000007
【図６】
2019088453.tif 000008
【図７】
2019088453.tif 000009
【図８】
2019088453.tif 000010
【図９】
2019088453.tif 000011
【図１０】
2019088453.tif 000012
【図１１】
2019088453.tif 000013
【図１２】
2019088453.tif 000014
【図１３】
2019088453.tif 000015
【図１４】
2019088453.tif 000016
【図１５】
2019088453.tif 000017
【図１６】
2019088453.tif 000018
【図１７】
2019088453.tif 000019
【図１８】
2019088453.tif 000020
【図１９】
2019088453.tif 000021
【図２０】
2019088453.tif 000022
【図２１】
2019088453.tif 000023
【図２２】
2019088453.tif 000024
【図２３】
2019088453.tif 000025